(57)【要約】【課題】  防犯性を確保しつつ、一段と容易に宅配物を受け取ることができるエレベータ装置を提供する。【解決手段】  エレベータ装置１０において、乗りかご１１に設けられ、乗りかご１１の乗車スペースとは仕切られた収納スペース１３ａ〜１３ｄを有する搬送箱１２と、乗りかご１１の乗降口とは異なる位置に設けられた、搬送箱１２の出し入れ口とを備える。【選択図】      図１
2006256853.tif 000002
【特許請求の範囲】
【請求項１】
乗りかごに設けられ、前記乗りかごの乗車スペースとは仕切られた収納スペースを有する搬送箱と、
前記乗りかごの乗降口とは異なる位置に設けられ、前記搬送箱の前記収納スペースに対して宅配物を出し入れする出し入れ部と、
を備えることを特徴とするエレベータ装置。
【請求項２】
複数の階に設けられた乗り場間を移動する乗りかごと、
前記乗りかごに設けられ、前記乗りかごの乗車スペースとは仕切られた収納スペースを有する搬送箱と、
前記乗りかごの乗降口とは異なる位置に設けられ、前記乗りかごの移動に伴って、前記乗り場とは仕切られた宅配物投入場所に設けられた投入部に対向する位置及び宅配物受け取り場所に設けられた取出し部に対向する位置に移動可能である、前記収納スペースに対する宅配物の出し入れ部と、
を備えることを特徴とするエレベータ装置。
【請求項３】
前記収納スペースは、搬送先ごとに仕切られていることを特徴とする請求項１または請求項２に記載のエレベータ装置。
【請求項４】
前記搬送箱に対する前記宅配物の投入を前記宅配物の搬送先に報知する報知手段を備えることを特徴とする請求項２に記載のエレベータ装置。
【発明の詳細な説明】
【技術分野】
【０００１】
本発明は、エレベータ装置に関し、例えば共同住宅用のビルに設けられるエレベータ装置に関する。
【背景技術】
【０００２】
例えば、共同住宅においては、建物のエントランスにエレベータ装置の乗り場を設けることにより、来訪者がこのエレベータ装置を利用して各階へ移動できるようになっている。各階には各住宅の居室が配されており、各階のエレベータ装置の乗り場であるホールと各住宅の玄関とは通路で結ばれている。
【０００３】
このような共同住宅においては、例えば宅配業者は宅配物を各居室に直接届けることができる。この場合、来訪者である宅配業者は、エントランスから建物内に入り、エレベータ装置を利用して配達先の住居がある階へ移動する。目的階へ移動した宅配業者は、配達先の住居の玄関から呼び鈴を鳴らす等して居室内の居住者に対して来訪を知らせる。これにより、居住人は、居室にいながらにして宅配物を受け取ることができる。
【０００４】
ところで、建物のエントランスは、建物の居住者以外の者が自由に出入りすることができることにより、このエントランスにエレベータ装置の乗り場を設けた場合、居住者以外の者がエレベータ装置を利用して各階へ自由に出入りすることができることになり、防犯性を十分に保つことが困難であった。
【０００５】
かかる課題を解決するための一つの方策として、不特定多数の者が立ち入ることができるエリアに宅配物を入れる受取箱を設けるとともに、このエリアとエレベータ装置の乗り場との間に居住者のみが通過し得る扉等を設け、居住者以外の者がエレベータ装置を利用することを制限する方法がある。
【０００６】
この方法によれば、居住人以外の者のエレベータ装置の利用を制限することができることにより、防犯性を保つことができると考えられる。
【０００７】
しかしながら、このような方法を用いた場合、居住者は宅配物を受け取りに受取箱が設置されたエリアまで出向かなければならず、煩雑な手間を回避し得ず、解決策としては、未だ不十分であった。
【０００８】
また、特許文献１には、エレベータ装置の乗りかご内部に各住居ごとの郵便受けを設け、この郵便受けに郵便物を入れる構成のものが開示されている。この構成によれば、居住者は、エレベータ装置の乗りかごを各自の居住階へ呼びよせて乗りかご内に入るだけで郵便受けから郵便物を取り出すことができる。
【０００９】
しかしながら、エレベータ装置の乗りかご内に郵便受けを設けると、結局、郵便受けに居住者以外の配達人が郵便物を入れる都合上、居住者以外の者がエレベータ装置の乗りかご内に立ち入ることができることになり、防犯性を保つことが困難になる。
【特許文献１】特開平０７−２３２８８１号公報
【発明の開示】
【発明が解決しようとする課題】
【００１０】
上述のように宅配物等の受け取りを容易にすることと、防犯性を高めることとを両立させることは困難であった。
【００１１】
本発明は、このような技術的課題を解決するためになされたものであり、本発明の目的は、防犯性を確保しつつ、一段と容易に宅配物を受け取ることができるエレベータ装置を提供することである。
【課題を解決するための手段】
【００１２】
本発明の実施の形態に係る特徴は、エレベータ装置において、乗りかごに設けられ、乗りかごの乗車スペースとは仕切られた収納スペースを有する搬送箱と、乗りかごの乗降口とは異なる位置に設けられ、搬送箱の収納スペースに対して宅配物を出し入れする出し入れ部とを備えることである。
【００１３】
また本発明の実施の形態に係る特徴は、エレベータ装置において、複数の階に設けられた乗り場間を移動する乗りかごと、乗りかごに設けられ、乗りかごの乗車スペースとは仕切られた収納スペースを有する搬送箱と、乗りかごの乗降口とは異なる位置に設けられ、乗りかごの移動に伴って、乗り場とは仕切られた宅配物投入場所に設けられた投入部に対向する位置及び宅配物受け取り場所に設けられた取出し部に対向する位置に移動可能である、収納スペースに対する宅配物の出し入れ部とを備えることである。
【発明の効果】
【００１４】
本発明によれば、防犯性を確保しつつ、一段と容易に宅配物を受け取ることができるエレベータ装置を提供することができる。
【発明を実施するための最良の形態】
【００１５】
以下、本発明の実施の形態について図面を参照して詳細に説明する。以下の図面の記載において、同一の部分には同一の符号を付し、重複する記載は省略する。
【００１６】
（第１の実施の形態）
図１に示すように、第１の実施の形態に係るエレベータ装置１０は、各階（２階〜５階）に居室４ａ〜４ｄが配置された建物１に設置されており、宅配業者が居住者宛の宅配物等を投入するための投入階であるとともに建物１へのエントランス階である１階と居住者が住む居室４ａ〜４ｄが配された各階（２階〜５階）とを行き来するようになされている。
【００１７】
建物１には、エレベータ装置１０の乗りかご１１が昇降するための昇降路２が設けられており、この昇降路２の上部には、建物１に支持されたマシンビーム１ｂが設けられている。マシンビーム１ｂには、シーブ６及びそらせシーブ７が回転可能に軸支されており、シーブ６及びそらせシーブ７にはメインロープ１６が掛け渡されている。メインロープ１６の一方の端部は昇降路２内に垂下され、その先端部に乗りかご１１が吊り下げられ、また他方の端部は昇降路２内に垂下され、その先端部にカウンターウエイト１５が吊り下げられている。
【００１８】
シーブ６は、その回転軸が巻き上げ機（図示せず）の出力回転軸に結合されている。これにより巻き上げ機を回転駆動させることにより、この回転に伴ってシーブ６を回転させることができる。巻き上げ機は、制御盤２１によって制御され、シーブ６を回転させることにより、メインロープ１６を移動させて乗りかご１１を昇降させることができる。制御盤２１は、各階の呼び登録装置から出力される呼び情報に基づいて乗りかご１１を指定された階に移動させて停止させるようになされている。
【００１９】
図２に示すように、エレベータ装置１０の乗りかご１１は、人が乗車するための乗車空間を内部に形成する筐体１１ｂによって構成され、人が乗降するためのかごドア１１ａが筐体１１ｂの一側面に設けられている。このかごドア１１ａは、エレベータ制御盤２１（図１）の制御により、乗りかご１１が目的の階に停止した際に開くようになされている。
【００２０】
また乗りかご１１の筐体１１ｂの他の側面には、宅配物等を収納して搬送するための搬送箱１２が設けられている。この搬送箱１２は、乗りかご１１の筐体１１ｂによって形成される乗車スペースに対して筐体側面１１ｃによって仕切られた収納スペース１３ａ〜１３ｄ（図１）を有する。この収納スペース１３ａ〜１３ｄは、宅配物等の搬送先である各居室４ａ〜４ｄ（図１）ごとに対応した個別のスペースに仕切られ、それぞれに個別の収納ドア１２ａ〜１２ｄを有する。この実施の形態の場合、収納箱１２は、乗りかご１１の筐体１１ｂにおいて、かごドア１１ａが設けられた側面とは異なる側面に設けられており、さらに搬送箱１２の収納スペース１３ａ〜１３ｄは、かごドア１１ａとは異なる方向に開口を向けるように配置されている。これにより乗りかご１１に人が乗り込む方向とは異なる方向から搬送箱１２の収納スペース１３ａ〜１３ｄに宅配物等を収納するようになされている。
【００２１】
建物１においては、各階（１階〜５階）にエレベータ乗り場としてのエレベータホールが設けられており、このホールから乗りかご１１に乗ることができる。すなわち図３に示すように、建物１において、エントランス階である１階のエレベータホール８ａは、エレベータ装置１０の乗りかご１１の乗り場であり、エレベータ装置１０の昇降路２との境界をなす壁１ｃに三方枠で囲まれた乗り口９ａが設けられている。この乗り口９ａは、乗りかご１１が当該階に停止した際に、かごドア１１ａと対向する位置に設けられている。乗り口９ａには、ホールドア（図示せず）が設けられており、乗りかご１１がこの階で停止した際に開くようになされている。これにより、乗りかご１１が当該階において停止した場合、かごドア１１ａとホールドアが開いて乗り口９ａを介して乗りかご１１に人が乗降し得るようになされている。
【００２２】
このエレベータホール８ａは、その周囲に設けられた壁によって外部とは隔絶された空間を形成しており、この壁の一部に建物１の居住者のみが鍵の使用又は暗証番号の入力等によって開けることができる扉（図示せず）が設けられている。これによりエレベータホール８ａは、居住者以外の者が立入ることが困難なスペースとなっている。かくして居住者のみがエレベータホール８ａからエレベータ装置１０の乗りかご１１に乗ることができ、防犯性を保つようになされている。
【００２３】
ここで、図３に示すように、建物１においては、宅配物等を搬送箱１２に投入するための投入場所である投入スペース３がエレベータホール８ａとは仕切られて設けられている。
【００２４】
建物１の場合、エレベータ装置１０の昇降路２は、エレベータホール８ａに対して壁１ｃを隔ててその外側に突出して設けられている。乗りかご１１においては、その一側面に設けられたかごドア１１ａがエレベータホール８ａの乗り口９ａに対向するようになされていることにより、かごドア１１ａとは異なる側面に設けられ、かごドア１１ａとは異なる方向に出し入れ口が向く収納スペース１３ａ〜１３ｄに対して、エレベータホール８ａとは仕切られた投入スペース３から宅配物等を投入することができるようになされている。
【００２５】
すなわち、投入スペース３に面した壁１ａにおいて、その階に停止した乗りかご１１の搬送箱１２の収納ドア１２ａ〜１２ｄに対向する位置には、宅配物等の投入部である収納口３１が設けられている。この収納口３１は、すべての収納ドア１２ａ〜１２ｄを包含する大きさで形成されており、乗りかご１１がこの階で停止した場合には、この収納口３１を介して搬送箱１２のすべての収納ドア１２ａ〜１２ｄが投入スペース３に連通するようになされている。また図４（ａ）に示すように、収納口３１には、ホールドア３１ａが設けられており、乗りかご１１がこの階で停止した場合には、このホールドア３１ａが開くようになされている。これにより投入スペース３から搬送箱１２の収納ドア１２ａ〜１２ｄを開けることができる。このように、エレベータ装置１０の乗りかご１１においては、人が乗降するためのかごドア１１ａがエレベータホール８ａの乗り口９ａに対向するようになされているのに対して、宅配物等を収納するための収納ドア１２ａ〜１２ｄは、エレベータホール８ａとは仕切られた投入スペース３の収納口３１に対向するようになされていることにより、宅配業者は、エレベータホール８ａに立ち入ることなく、乗りかご１１の外部から搬送箱１２に宅配物等を収納することができる。
【００２６】
図４（ａ）に示すように、投入スペース３の収納口３１の周辺の壁面には、投入スペース３が設けられた階に乗りかご１１を移動させるための搬送箱呼びボタン２３ａと、ホールドア３１ａを閉めるための戸閉ボタン２３ｂと、宅配物等を搬送箱１２に収納したことを配達先である居室へ知らせるための入力部２３ｃとが設けられている。入力部２３ｃは、宅配先の居室を指定するためのテンキー２４ａと、このテンキー２４ａの入力結果を表示する液晶表示装置等により構成される表示部２４ｂと、入力した居室番号を確定するための登録ボタン２４ｃとを有し、テンキー２４ａの押圧操作によって入力された居室番号が表示部２４ｂに表示された状態において、登録ボタン２４ｃを押圧操作することにより、指定された居室に対して宅配物が届いた旨を知らせることができるようになされている。
【００２７】
図４（ｂ）に示すように、投入スペース３が設けられた階（１階）に乗りかご１１が移動して収納口３１のホールドア３１ａが開いた状態においては、搬送箱１２の各居室に対応した収納ドア１２ａ〜１２ｄが収納口３１を介して投入スペース３に露出した状態となり、宅配業者は配送先の居室に対応した収納ドア１２ａ〜１２ｄを開けて宅配物等を収納することができる。
【００２８】
一方、図５に示すように、居室が配された階（２階〜５階）においては、エレベータホール８ｅを取り囲む壁のうち、エレベータ装置１０の昇降路２との境界をなす壁１ｄに三方枠で囲まれた乗り口９ｅが設けられ、また居室４ｄとの境界をなす壁に居室４ｄへの出入り口３３ｄが設けられている。これによりエレベータホール８ｅを介して乗りかご１１と居室４ｄとの間を行き来することができるようになされている。
【００２９】
乗り口９ｅには、ホールドア（図示せず）が設けられており、乗りかご１１がこの階で停止した際に開くようになされている。また居室４ｄの出入り口３３ｄには、玄関ドア３４ｄが設けられている。
【００３０】
なお図５は、５階のエレベータホール８ｅと居室４ｄを示すものであるが、２〜４階も同様の構成となっている。
【００３１】
図５に示すように、居室４ｄに面した壁１ａには、宅配物等の取出し部である取出し口３２ｄが設けられており、乗りかご１１がこの階で停止した場合には、この取出し口３２ｄに搬送箱１２の対応する収納ドア１２ｄが対向するようになされている。この取出し口３２ｄには、居室ドア３３ｄ（図６（ａ））が設けられており、乗りかご１１がこの階で停止した場合には、この居室ドア３３ｄが開くようになされている。これにより図６（ｂ）に示すように、居室４ｄから搬送箱１２の収納ドア１２ｄを開けることができ、これにより居住者は、居室４ｄに居ながらにして、搬送箱１２から宅配物等を取り出すことができる。因みに、各居室４ａ〜４ｄの取出し口３２ｄは、それぞれの居室に対応した収納ドアのみを露出させる大きさに形成されていることにより、他の居室に対応した収納ドアを開けることが困難なようになされている。これにより、他の居室に対応した収納ドアが開けられて他の居室宛の宅配物等が取り出されることを回避することができる。
【００３２】
図６（ａ）に示すように、居室４ｄの取出し口３２ｄの周辺の壁面には、居室４ｄの階に乗りかご１１を移動させるための搬送箱呼びボタン２７ａと、居室ドア３３ｄを閉めるための戸閉ボタン２７ｂと、宅配物等が届いた旨を報知する報知部２７ｃとが設けられている。報知部２７ｃは、図４について上述した入力部２３ｃの登録ボタン２４ｃの押圧操作に応じて発光する発光装置により構成されている。
【００３３】
図７に示すように、エレベータ装置１０を制御するエレベータ制御システム２０は、乗りかご１１の動作を制御するエレベータ制御盤２１と、乗りかご１１内に設けられたかご内操作盤２２と、エントランス階である１階のエレベータホール８ａに設けられた乗りかご１１用の呼び登録装置１９ａと、１階の投入スペース３に設けられた搬送箱１２用の呼び登録装置２３と、居住階である２階のエレベータホール８ｂに設けられた乗りかご１１用の呼び登録装置１９ｂと、２階の居室４ａに設けられた搬送箱１２用の呼び登録装置２４と、居住階である３階のエレベータホール（図示せず）に設けられた乗りかご１１用の呼び登録装置（図示せず）と、３階の居室４ｂに設けられた搬送箱１２用の呼び登録装置（図示せず）と、居住階である４階のエレベータホール（図示せず）に設けられた乗りかご１１用の呼び登録装置（図示せず）と、４階の居室４ｃに設けられた搬送箱１２用の呼び登録装置（図示せず）と、居住階である５階のエレベータホール８ｅに設けられた乗りかご１１用の呼び登録装置１９ｅと、５階の居室４ｄに設けられた搬送箱１２用の呼び登録装置２７とを有する。
【００３４】
かご内操作盤２２には、行き先階を指定する行き先階ボタン、ドアを開くための戸開ボタン、ドアを閉じるための戸閉ボタン、現在位置を示す表示部等が設けられている。行き先階ボタンが押圧操作されると、かご内操作盤２２は、この操作結果をエレベータ制御盤２１に通知する。これによりエレベータ制御盤２１は、指定された行き先階を移動先として、巻き上げ機（図示せず）を制御することにより、乗りかご１１を行き先階まで昇降させる。
【００３５】
１階のエレベータホール８ａに設けられた呼び登録装置１９ａには、乗りかご１１を１階に移動させるための呼びボタン、乗りかご１１の現在位置及び移動方向を示す表示部等が設けられている。呼びボタンが押圧操作されると、呼び登録装置１９ａは、この操作結果をエレベータ制御盤２１に通知する。これによりエレベータ制御盤２１は、巻き上げ機（図示せず）を制御して、乗りかご１１を１階に移動させる。このようにして乗りかご１１が１階に移動すると、エレベータ制御盤２１は、呼びボタンの操作元がエレベータホール８ａの呼び登録装置１９ａであることに基づいて、かごドア１１ａ及び乗り口９ａのホールドア（図示せず）を開ける。
【００３６】
また１階の投入スペース３に設けられた呼び登録装置２３には、図４に示したように、搬送箱１２を１階に移動させるための搬送箱呼びボタン２３ａ、投入スペース３の収納口３１に設けられたホールドア３１ａを閉じるための戸閉ボタン２３ｂ、テンキー２４ａ（図４）を有する入力部２３ｃ、宅配物等の収納に係る音声ガイダンスや警告を発するための音声出力部２３ｄが設けられている。入力部２３ｃは、入力された居室の指定情報をエレベータ制御盤２１に通知するようになされている。
【００３７】
搬送箱呼びボタン２３ａが押圧操作されると、呼び登録装置２３は、この操作結果をエレベータ制御盤２１に通知する。これによりエレベータ制御盤２１は、巻き上げ機（図示せず）を制御して、乗りかご１１を１階に移動させる。このようにして乗りかご１１が１階に移動すると、エレベータ制御盤２１は、呼びボタンの操作元が投入スペース３の呼び登録装置２３であることに基づいて、搬送箱１２に対する収納口３１のホールドア３１ａを開ける。
【００３８】
また居住階である例えば５階のエレベータホール８ｅに設けられた呼び登録装置１９ｅには、乗りかご１１を５階に移動させるための呼びボタン、乗りかご１１の現在位置及び移動方向を示す表示部等が設けられている。呼びボタンが押圧操作されると、呼び登録装置１９ｅは、この操作結果をエレベータ制御盤２１に通知する。これによりエレベータ制御盤２１は、巻き上げ機（図示せず）を制御して、乗りかご１１を５階に移動させる。このようにして乗りかご１１が５階に移動すると、エレベータ制御盤２１は、呼びボタンの操作元がエレベータホール８ｅの呼び登録装置１９ｅであることに基づいて、かごドア１１ａ及び乗り口９ｅのホールドア（図示せず）を開ける。
【００３９】
また５階の居室４ｄに設けられた呼び登録装置２７には、図６に示したように、搬送箱呼びボタン２７ａ、戸閉ボタン２７ｂ、報知部２７ｃが設けられている。報知部２７ｃは、１階の投入スペース３に設けられた入力部２３ｃのテンキー２４ａ及び登録ボタン２４ｃによって５階の居室４ｄが指定された場合に、エレベータ制御盤２１の制御によって発光するようになされている。この発光により、居室４ｄの居住者は、１階の投入スペース３において、搬送箱１２の居室４ｄ用の収納スペース１３ｄに居室４ｄ宛の宅配物等が入れられたことを認識することができる。
【００４０】
居室４ｄの搬送箱呼びボタン２７ａが押圧操作されると、呼び登録装置２７は、この操作結果をエレベータ制御盤２１に通知する。これによりエレベータ制御盤２１は、巻き上げ機（図示せず）を制御して、乗りかご１１を５階に移動させる。このようにして乗りかご１１が５階に移動すると、エレベータ制御盤２１は、呼びボタンの操作元が居室４ｄの呼び登録装置２７であることに基づいて、搬送箱１２に対する収納口３２ｄのホールドア３３ｄを開ける。
【００４１】
なお２階〜４階のエレベータホールの呼び登録装置、２階〜４階の居室４ａ〜４ｃに設けられた呼び登録装置も同様の構成を有し、エレベータ制御盤２１は、これらの呼び登録装置における操作結果に基づいて、それぞれの階に対して乗りかご１１を移動させるようになされている。
【００４２】
ここで、乗りかご１１に併設された搬送箱１２は、その上下方向に居室４ａ〜４ｄに対応付けられた収納スペース１３ａ〜１３ｄが設けられているのに対して、各居室４ａ〜４ｄにおいては、搬送箱１２を開けるための収納口３１が出し入れし易い同じ高さに設けられている。これにより、エレベータ制御盤２１は、居室４ａ〜４ｄの呼びボタンが押圧操作された場合には、操作された居室に応じて乗りかご１１の停止位置を変えるようになされている。すなわち、図８に示すように、２階の居室４ａの呼びボタン２４ａが押圧操作された場合、エレベータ制御盤２１は、搬送箱１２の居室４ａに対応する最下段の収納スペース１３ａが居室４ａの収納口３２ａに対向するように乗りかご１１を停止させる。これにより、居室４ａにおいて収納口３２ａを介して収納スペース１３ａから宅配物等を取り出すことができる。
【００４３】
これに対して、図９に示すように、３階の居室４ｂの呼びボタン（図示せず）が押圧操作された場合、エレベータ制御盤２１は、搬送箱１２の居室４ｂに対応する下から２段目の収納スペース１３ｂが居室４ｂの収納口３２ｂに対向するように乗りかご１１を停止させる。これにより、居室４ｂにおいて収納口３２ｂを介して収納スペース１３ｂから宅配物等を取り出すことができる。
【００４４】
これに対して、図１０に示すように、４階の居室４ｃの呼びボタン（図示せず）が押圧操作された場合、エレベータ制御盤２１は、搬送箱１２の居室４ｃに対応する下から３段目の収納スペース１３ｃが居室４ｃの収納口３２ｃに対向するように乗りかご１１を停止させる。これにより、居室４ｃにおいて収納口３２ｃを介して収納スペース１３ｃから宅配物等を取り出すことができる。
【００４５】
またこれに対して、図１１に示すように、５階の居室４ｄの呼びボタン２７ａが押圧操作された場合、エレベータ制御盤２１は、搬送箱１２の居室４ｄに対応する最上段の収納スペース１３ｄが居室４ｄの収納口３２ｄに対向するように乗りかご１１を停止させる。これにより、居室４ｄにおいて収納口３２ｄを介して収納スペース１３ｄから宅配物等を取り出すことができる。
【００４６】
因みに、図１２に示すように、投入スペース３（１階）の呼びボタン２３ａが押圧操作された場合、エレベータ制御盤２１は、搬送箱１２のすべての居室４ａ〜４ｄに対応する収納スペース１３ａ〜１３ｄが投入スペース３の収納口３１に対向するように乗りかご１１を停止させる。これにより、投入スペース３において収納口３１を介して収納スペース１３ａ〜１３ｄに宅配物等を収納することができる。
【００４７】
次に、宅配物等の受け取り時の動作について説明する。図１３に示すように、エレベータ制御盤２１は、ステップＳ１において投入スペース３が設けられた宅配物収納階（１階）の宅配物収納ＢＯＸ呼びボタン（配送箱呼びボタン２３ａ）が押圧操作されたか否かを判断する。ここで否定結果が得られると、このことは、搬送箱１２が投入スペース３に呼ばれていないため、このときエレベータ制御盤２１は、ステップＳ１からステップＳ２に移って、エレベータホール８ａ〜８ｅの呼びボタンの押圧操作に応じた乗りかご１１の移動制御（平常運転）を実行する。
【００４８】
これに対してステップＳ１において肯定結果が得られると、このことは、搬送箱１２が投入スペース３に呼ばれているため、このとき、エレベータ制御盤２１は、ステップＳ１からステップＳ３に移って、他の呼びボタンの押圧操作がないかを判断する。
【００４９】
このステップＳ３において否定結果が得られると、このことは、投入スペース３の呼びボタン２３ａ以外の呼びボタンが押圧操作されていることを意味しており、このとき、エレベータ制御盤２１は、ステップＳ３からステップＳ４に移って、他の呼びに応答する。すなわち、乗りかご１１の現在位置から投入スペース３が設けられた１階までの移動経路中に呼びボタンが押圧操作されている場合には、この操作に応じて該当する階で乗りかご１１を停止させる処理を実行する。
【００５０】
このようにして他の呼びに応答した後、エレベータ制御盤２１は、ステップＳ４からステップＳ５に移って、すべての呼びに応答したか否かを判断し、肯定結果が得られるまで、ステップＳ４及びステップＳ５の処理を繰り返す。そしてステップＳ５において肯定結果が得られると、エレベータ制御盤２１は、ステップＳ５からステップＳ６に移る。
【００５１】
一方、上述のステップＳ３において肯定結果が得られると、このことは他の呼びボタンの押圧操作がないことを意味しており、エレベータ制御盤２１は、ステップＳ３からステップＳ６に移って、乗りかご１１を宅配物収納階（１階）へ着床させた後、ステップＳ７に移って、宅配物収納窓（投入スペース３のホールドア３１ａ）を開ける。
【００５２】
かくして宅配業者は、収納口３１を介して搬送箱１２の各収納ドア１２ａ〜１２ｄを開けることができ、配送先である居室に対応した収納スペースに宅配物等を収納する（ステップＳ８）。宅配物等を収納スペースに収納すると、宅配業者は、音声ガイダンス等に従って、収納ドアを閉じた後、投入スペース３に設けられた戸閉ボタン２３ｂ（図４）を押圧操作する。
【００５３】
ステップＳ９において、エレベータ制御盤２１は、戸閉ボタン２３ｂが押圧操作されたか否かの判断処理を肯定結果が得られるまで繰り返す。このステップＳ９において肯定結果が得られると、このことは戸閉ボタン２３ｂが押圧操作されたことを意味しており、このとき、エレベータ制御盤２１は、ステップＳ９からステップＳ１０に移って、搬送箱１２のすべて収納ドア１２ａ〜１２ｄが閉じられているか否かを判断する。ここで否定結果が得られると、このことは、搬送箱１２のいずれかの収納ドアが開いていることを意味しており、エレベータ制御盤２１は、ステップＳ１０からステップＳ１１に移って、音声出力部２３ｄを介して、このとき開いている収納ドアを特定するための案内を行う。因みに、各収納ドア１２ａ〜１２ｄにおいては、例えば光センサや磁気センサ等によるドアの開閉を検知する検知手段が設けられており、エレベータ制御盤２１は、この検知手段の検知結果に基づいて開いている収納ドアを判別することができる。
【００５４】
これにより、宅配業者は、音声出力部２３ｄから発せられる音声によって開いている収納ドアを知ることができ、この収納ドアを閉じることにより、エレベータ制御盤２１は、ステップＳ１０において肯定結果を得る。
【００５５】
ステップＳ１０において肯定結果が得られると、エレベータ制御盤２１は、ステップＳ１０からステップＳ１２に移って、収納口３１のホールドア３１ａを閉じた後、続くステップＳ１３において平常運転を実行する。この平常運転において、エレベータ制御盤２１は、他の呼びがある場合には、その呼びを含めて運転制御（停止階の判断等）を行い、他の呼びがない場合には、投入スペース３の入力部２３ｃにおいて入力された居室の階を移動先として乗りかご１１を運転制御する。
【００５６】
このようにしてエレベータ制御盤２１は、乗りかご１１の搬送箱１２に収納された宅配物等を配送先の居室４ａ〜４ｄに搬送することができる。
【００５７】
以上説明したエレベータ装置１０においては、乗りかご１１の乗車スペースとは仕切られた宅配物等の収納スペース１３ａ〜１３ｄを有する搬送箱１２を乗りかご１１に併設し、さらにこの搬送箱１２の収納スペース１３ａ〜１３ｄの出し入れ口を乗りかご１１の乗降口とは異なる位置に設けていることにより、宅配物等の搬送箱１２への出し入れを乗りかご１１に乗車することなく行うことができる。
【００５８】
そして、搬送箱１２への宅配物等の投入スペース３を、乗りかご１１への乗り場であるエレベータホール８ａとは仕切られたスペースとすることにより、エレベータホール８ａを居住者以外の者が立ち入れないスペースとしても、居住者ではない宅配業者は、宅配物等を搬送箱１２に投入することができる。
【００５９】
また、各居室４ａ〜４ｄには、それぞれの居室に対応した搬送箱１２の収納ドア（収納ドア１２ａ〜１２ｄのいずれか）に対向する取出し口３２ｄが設けられていることにより、居住者は、居室にいながらにして宅配物等を受け取ることができる。
【００６０】
かくして、本実施の形態のエレベータ装置１０によれば、防犯性を確保しつつ、一段と容易に宅配物を受け取ることができる。
【００６１】
（他の実施の形態）
なお上述の実施の形態においては、投入スペース３に設けられた入力部２３ｃの操作によって宅配物等を搬送箱１２に投入した旨を居室４ａ〜４ｄに通知する場合について述べたが、本発明はこれに限られるものではなく、例えば、搬送箱１２の各収納スペース１３ａ〜１３ｄに重量センサ又は光センサ等を設け、収納スペース１３ａ〜１３ｄに宅配物等が投入されたことを検知し、その検知結果を対応する居室４ａ〜４ｄに通知するようにしてもよい。このようにすれば、宅配業者が入力部２３ｃを操作することなく、確実に宅配物の収納スペース１３ａ〜１３ｄへの投入を対応する居室に通知することができる。
【００６２】
また上述の実施の形態においては、乗りかご１１のかごドア１１ａとは異なる方向に出し入れ口を有する搬送箱１２を用いる場合について述べたが、本発明はこれに限られるものではなく、乗りかご１１の乗り口９ａ〜９ｅが設けられるエレベータホール８ａ〜８ｅと、投入スペース３及び居室４ａ〜４ｄとの位置関係により、種々の方向を適用することができる。例えば、図１４及び図１５に示すように、投入スペース３（図１４）及び居室４ｄ（居室４ａ〜４ｃも同様）と、エレベータホール８ａ〜８ｅとが横方向に並べて配置されている場合には、投入スペース３の収納口３１及び居室４ａ〜４ｄの取出し口３２ｄの位置に応じて、搬送箱１２の出し入れ口（収納ドア１２ａ〜１２ｄ）を乗りかご１１の乗降口（かごドア１１ａ）と同じ方向に向くように設ける等、建物１のレイアウトに応じて種々の方向を適用することができる。
【００６３】
また上述の実施の形態においては、各居室４ａ〜４ｄの取出し口３２ａ〜３２ｄの位置を同じ位置とする場合について述べたが、本発明はこれに限られるものではなく、収納スペース１３ａ〜１３ｄの位置に応じた位置に設けるようにしてもよい。このようにすれば、収納スペース１３ａ〜１３ｄの位置に応じて乗りかご１１の停止位置を制御する必要がなくなる。
【００６４】
また上述の実施の形態においては、搬送箱１２の各居室４ａ〜４ｄに対応した収納スペース１３ａ〜１３ｄを、上下方向に並べた場合について述べたが、これに代えて、例えば左右方向に並べる等、種々の配置を適用することができる。
【００６５】
また上述の実施の形態においては、各居室４ａ〜４ｄに搬送箱１２から宅配物を取り出すための取出し口３２ａ〜３２ｄを設けたが、これに代えて、各階において、エレベータホール８ｂ〜８ｅとは仕切られたスペースに取出し口３２ａ〜３２ｄを設け、このスペースに立ち入ることができる者を鍵の利用等によって居住者に限定するようにしてもよい。このようにすれば、１つの階に複数の住居が設けられている場合であっても、これらの住居に共通の宅配物受取り場所を設けることができる。また、各階の宅配物等の取り出し場所をエレベータホール８ｂ〜８ｅに設置し、搬送箱１２の複数の収納ドア１２ａ〜１２ｅに対応する複数の取出し口にそれぞれ専用の鍵を設けたホールドアを個別に設けるようにしてもよい。このようにすれば、１つの階に複数の住居が設けられている場合において、各住居で共通の取出し場所を設けつつ、各住居の居住者のみが各自に割り当てられた収納スペース１３ａ〜１３ｄから宅配物等を取り出すことができる。
【図面の簡単な説明】
【００６６】
【図１】本発明の第１の実施の形態に係るエレベータ装置が設けられた建物を示す略線図である。
【図２】図１のエレベータ装置の乗りかごを示す斜視図である。
【図３】図１の建物のエントランス階におけるエレベータホール及び宅配物等の投入スペースを示す断面図である。
【図４】図１の建物の投入スペースの投入口を示す側面図である。
【図５】図１の建物の居住階のエレベータホール及び居室を示す断面図である。
【図６】図１の建物の居室の取り出し口を示す斜視図である。
【図７】図１のエレベータ装置を制御するエレベータ制御システムを示すブロック図である。
【図８】図１のエレベータ装置の乗りかごの停止例を示す断面図である。
【図９】図１のエレベータ装置の乗りかごの停止例を示す断面図である。
【図１０】図１のエレベータ装置の乗りかごの停止例を示す断面図である。
【図１１】図１のエレベータ装置の乗りかごの停止例を示す断面図である。
【図１２】図１のエレベータ装置の乗りかごの停止例を示す断面図である。
【図１３】図１のエレベータ制御盤のエレベータ制御処理手順を示すフローチャートである。
【図１４】他の実施の形態に係る建物のエントランス階及びエレベータ装置を示す断面図である。
【図１５】他の実施の形態に係る建物の居住階及びエレベータ装置を示す断面図である。
【符号の説明】
【００６７】
１  建物
２  昇降路
３  投入スペース
４ａ〜４ｄ  居室
８ａ、８ｂ、８ｅ  エレベータホール
９ａ、９ｅ  乗り口
１０  エレベータ装置
１１  乗りかご
１１ａ  かごドア
１２  搬送箱
１２ａ〜１２ｄ  収納ドア
１３ａ〜１３ｄ  収納スペース
１９ａ  呼び登録装置
２１  エレベータ制御盤
２２  かご内制御盤
２３ｃ  入力部
２４ｃ、２７ｃ  報知部
３１  投入口
３２ａ〜３２ｄ  取出し口
【図１】
2006256853.tif 000003
【図２】
2006256853.tif 000004
【図３】
2006256853.tif 000005
【図４】
2006256853.tif 000006
【図５】
2006256853.tif 000007
【図６】
2006256853.tif 000008
【図７】
2006256853.tif 000009
【図８】
2006256853.tif 000010
【図９】
2006256853.tif 000011
【図１０】
2006256853.tif 000012
【図１１】
2006256853.tif 000013
【図１２】
2006256853.tif 000014
【図１３】
2006256853.tif 000015
【図１４】
2006256853.tif 000016
【図１５】
2006256853.tif 000017